(57)【要約】【課題】本発明は、極めて商品価値の高い画期的な家具を提供することを目的とする。【解決手段】支柱３と、この支柱３を介して水平状態に設ける板体２とを組み立てた構成、若しくは、複数の支柱３を上下に連結して成る連結支柱３’と、この連結支柱３’を介して水平状態に設ける板体２とを組み立てた構成の組み立て本体部５を備えた家具において、前記組み立て本体部５の組み立てに際して、前記支柱３の支柱端部６とこの支柱端部６と差し込み係合する前記板体２に設けた係合部７とを差し込み係合、若しくは、下方の支柱３の支柱端部６とこの支柱端部６と差し込み係合する上方の支柱３に設けた係合部７とを差し込み係合する構成としたものである。【選択図】図２
2014166248.tif 000002
【特許請求の範囲】
【請求項１】
支柱と、この支柱を介して水平状態に設ける板体とを組み立てた構成、若しくは、複数の支柱を上下に連結して成る連結支柱と、この連結支柱を介して水平状態に設ける板体とを組み立てた構成の組み立て本体部を備えた家具において、前記組み立て本体部の組み立てに際して、前記支柱の支柱端部とこの支柱端部と差し込み係合する前記板体に設けた係合部とを差し込み係合、若しくは、下方の支柱の支柱端部とこの支柱端部と差し込み係合する上方の支柱に設けた係合部とを差し込み係合する構成とし、前記支柱端部と前記係合部とを差し込み係合した際、前記板体に設けた係止片が抜け止め係止する被係止部を前記支柱に設けるか、若しくは、前記支柱に設けた係止片が抜け止め係止する被係止部を前記板体に設けるか、若しくは、前記上方の支柱に設けた係止片が抜け止め係止する被係止部を前記下方の支柱に設けるか、若しくは、前記下方の支柱に設けた係止片が抜け止め係止する被係止部を前記上方の支柱に設け、前記係止片は、前記支柱端部と前記係合部とを差し込み係合することに伴って倒れ動した後に弾性変形により復帰動して前記被係止部に抜け止め係止する構成であり、前記係止片の先端部に指を掛けて引き操作若しくは押し操作してこの係止片を倒れ動することで、前記被係止部に対する抜け止め係止状態を解除し得るように構成し、前記係止片の先端部を引き操作若しくは押し操作する指の指入れを許容する指入れ部を前記支柱に設けたことを特徴とする家具。
【請求項２】
前記支柱は、この支柱の差し込み方向先端部としての前記支柱端部よりも基端側位置に平断面視コ字状部若しくは筒状部から成る中空部を有し、前記平断面視コ字状部の一方向に開口する開口部若しくは前記筒状部に設けた開口部により前記中空部を開口状態に設けて前記指入れ部を構成したことを特徴とする請求項１記載の家具。
【請求項３】
前記支柱端部，前記係合部のいずれか一方を凸状部とし、他方をこの凸状部と差し込み係合する凹状部とし、前記支柱端部と前記係合部とを差し込み係合した際、互いに重合する壁部夫々のうちの一方に前記被係止部を設け、他方に前記係止片を設けたことを特徴とする請求項１，２のいずれか１項に記載の家具。
【請求項４】
前記支柱を、平断面視コ字状の支柱本体の上下先端部のうちの少なくとも一方の先端部に平断面視逆コ字状若しくは筒状の前記支柱端部を設けた構成とし、この支柱端部を構成する壁部の差し込み方向先端縁部よりも基端側に位置する基端側縁部を前記被係止部としたことを特徴とする請求項１〜３のいずれか１項に記載の家具。
【請求項５】
前記係合部を、前記板体若しくは前記支柱の一端部に筒状部を設けて前記支柱端部を差し込み係合する構成とし、前記支柱端部を前記係合部に差し込み係合した際、前記被係止部を有する前記支柱端部の壁部に重合状態となる係合部の壁部に前記係止片を設けたことを特徴とする請求項１〜４のいずれか１項に記載の家具。
【請求項６】
前記係止片は、前記係合部の壁部に複数のスリットを並設してこのスリット間の部位を倒れ動自在に設けた構成であり、前記係止片の先端部を前記係合部の開口縁部から突出状態に設けて、この係止片の先端部に指を掛けて引き操作若しくは押し操作してこの係止片を倒れ動するように構成したことを特徴とする請求項５記載の家具。
【請求項７】
支柱と、この支柱を介して水平状態に設ける板体とを組み立てた構成、若しくは、複数の支柱を上下に連結して成る連結支柱と、この連結支柱を介して水平状態に設ける板体とを組み立てた構成の組み立て本体部を備えた家具において、前記組み立て本体部の組み立てに際して、前記支柱の支柱端部とこの支柱端部と差し込み係合する前記板体に設けた係合部とを差し込み係合、若しくは、下方の支柱の支柱端部とこの支柱端部と差し込み係合する上方の支柱に設けた係合部とを差し込み係合する構成とし、前記支柱端部と前記係合部とを差し込み係合した際、互いに重合する壁部のうちの前記支柱端部の壁部に被係止部を設けるとともに、前記係合部の壁部に前記被係止部に係止する係止片を設けるか、若しくは、前記係合部の壁部に前記被係止部を設けるとともに、前記支柱端部の壁部に前記被係止部に係止する係止片を設け、前記係止片は、前記支柱端部と前記係合部とを差し込み係合することに伴って倒れ動した後に弾性変形により復帰動して前記被係止部に抜け止め係止する構成であり、前記係止片の先端部に指を掛けて引き操作若しくは押し操作してこの係止片を倒れ動することで、前記被係止部に対する抜け止め係止状態を解除し得るように構成し、前記係止片の先端部を引き操作若しくは押し操作する指の指入れを許容する指入れ部を前記支柱に設け、前記支柱は、この支柱の差し込み方向先端部としての前記支柱端部よりも基端側位置に断面視コ字状部若しくは筒状部から成る中空部を有し、前記平断面視コ字状部の一方向に開口する開口部若しくは前記筒状部に設けた開口部により前記中空部を開口状態に設けて前記指入れ部を構成したことを特徴とする家具。
【発明の詳細な説明】
【技術分野】
【０００１】
本発明は、例えば、衣類等を収納するのに便利な引き出し式収納ケースや、物を載置する棚などの家具に関するものである。
【背景技術】
【０００２】
従来から、支柱と、この支柱を介して水平状態に設ける板体とを組み立てた構成の組み立て本体部を備えた家具（引き出し式収納ケースや棚）が提案されている。
【０００３】
この家具における組み立て本体部は、支柱の支柱端部を板体に設けた係合凹部に差し込み係合して組み立てる構成であり、即ち、この組み立て本体部は、梱包や搬送の利便性が考慮されて組み立て式に設けられている。
【０００４】
ところで、この従来から提案される支柱と板体との連結構造は、支柱端部を係合凹部に差し込み係合した際、一方に設けた係止凸部が他方に設けた被係止凹部に係脱不能に係止する、所謂はめ殺し連結構造であり、よって、例えば板体に対して支柱を前後左右の位置を誤って連結した場合や、組み立て状態の組み立て本体部を一時的に仕舞いたい場合など、組み立て状態から分解したい要求が生じた場合に対応することができず、仮に、例えばドライバーなどを連結部分に差し込んで強引に係止状態を解除させて分解できたとしても、この分解作業は容易ではなく、しかも、この連結部位を破損させてしまう問題があった。
【０００５】
そこで、従来においても、この問題を解消すべく、例えば実開平２−８２９２９号に開示されるような、支柱と板体とを着脱自在とした連結構造が種々提案されている。
【先行技術文献】
【特許文献】
【０００６】
【特許文献１】実開平２−８２９２９号公報
【発明の概要】
【発明が解決しようとする課題】
【０００７】
本発明は、前述したような支柱を板体に対して着脱自在とした連結構造について更なる研究開発を進め、その結果、極めて商品価値の高い画期的な家具を開発した。
【課題を解決するための手段】
【０００８】
添付図面を参照して本発明の要旨を説明する。
【０００９】
支柱３と、この支柱３を介して水平状態に設ける板体２とを組み立てた構成、若しくは、複数の支柱３を上下に連結して成る連結支柱３’と、この連結支柱３’を介して水平状態に設ける板体２とを組み立てた構成の組み立て本体部５を備えた家具において、前記組み立て本体部５の組み立てに際して、前記支柱３の支柱端部６とこの支柱端部６と差し込み係合する前記板体２に設けた係合部７とを差し込み係合、若しくは、下方の支柱３の支柱端部６とこの支柱端部６と差し込み係合する上方の支柱３に設けた係合部７とを差し込み係合する構成とし、前記支柱端部６と前記係合部７とを差し込み係合した際、前記板体２に設けた係止片９が抜け止め係止する被係止部８を前記支柱３に設けるか、若しくは、前記支柱３に設けた係止片９が抜け止め係止する被係止部８を前記板体２に設けるか、若しくは、前記上方の支柱３に設けた係止片９が抜け止め係止する被係止部８を前記下方の支柱３に設けるか、若しくは、前記下方の支柱３に設けた係止片９が抜け止め係止する被係止部８を前記上方の支柱３に設け、前記係止片９は、前記支柱端部６と前記係合部７とを差し込み係合することに伴って倒れ動した後に弾性変形により復帰動して前記被係止部８に抜け止め係止する構成であり、前記係止片９の先端部９ａに指を掛けて引き操作若しくは押し操作してこの係止片９を倒れ動することで、前記被係止部８に対する抜け止め係止状態を解除し得るように構成し、前記係止片９の先端部９ａを引き操作若しくは押し操作する指の指入れを許容する指入れ部10を前記支柱３に設けたことを特徴とする家具に係るものである。
【００１０】
また、前記支柱３は、この支柱３の差し込み方向先端部としての前記支柱端部６よりも基端側位置に平断面視コ字状部若しくは筒状部から成る中空部11を有し、前記平断面視コ字状部の一方向に開口する開口部12若しくは前記筒状部に設けた開口部により前記中空部11を開口状態に設けて前記指入れ部10を構成したことを特徴とする請求項１記載の家具に係るものである。
【００１１】
また、前記支柱端部６，前記係合部７のいずれか一方を凸状部とし、他方をこの凸状部と差し込み係合する凹状部とし、前記支柱端部６と前記係合部７とを差し込み係合した際、互いに重合する壁部６Ｃ，７Ｂ夫々のうちの一方に前記被係止部８を設け、他方に前記係止片９を設けたことを特徴とする請求項１，２のいずれか１項に記載の家具に係るものである。
【００１２】
また、前記支柱３を、平断面視コ字状の支柱本体３Ａの上下先端部のうちの少なくとも一方の先端部に平断面視逆コ字状若しくは筒状の前記支柱端部６を設けた構成とし、この支柱端部６を構成する壁部６Ｃの差し込み方向先端縁部６ａよりも基端側に位置する基端側縁部６ｂを前記被係止部８としたことを特徴とする請求項１〜３のいずれか１項に記載の家具に係るものである。
【００１３】
また、前記係合部７を、前記板体２若しくは前記支柱３の一端部に筒状部を設けて前記支柱端部６を差し込み係合する構成とし、前記支柱端部６を前記係合部７に差し込み係合した際、前記被係止部８を有する前記支柱端部６の壁部６Ｃに重合状態となる係合部７の壁部７Ｂに前記係止片９を設けたことを特徴とする請求項１〜４のいずれか１項に記載の家具に係るものである。
【００１４】
また、前記係止片９は、前記係合部７の壁部７Ｂに複数のスリット13を並設してこのスリット13間の部位を倒れ動自在に設けた構成であり、前記係止片９の先端部９ａを前記係合部７の開口縁部７ａから突出状態に設けて、この係止片９の先端部９ａに指を掛けて引き操作若しくは押し操作してこの係止片９を倒れ動するように構成したことを特徴とする請求項５記載の家具に係るものである。
【００１５】
また、支柱３と、この支柱３を介して水平状態に設ける板体２とを組み立てた構成、若しくは、複数の支柱３を上下に連結して成る連結支柱３’と、この連結支柱３’を介して水平状態に設ける板体２とを組み立てた構成の組み立て本体部５を備えた家具において、前記組み立て本体部５の組み立てに際して、前記支柱３の支柱端部６とこの支柱端部６と差し込み係合する前記板体２に設けた係合部７とを差し込み係合、若しくは、下方の支柱３の支柱端部６とこの支柱端部６と差し込み係合する上方の支柱３に設けた係合部７とを差し込み係合する構成とし、前記支柱端部６と前記係合部７とを差し込み係合した際、互いに重合する壁部６Ｃ，７Ｂのうちの前記支柱端部６の壁部６Ｃに被係止部８を設けるとともに、前記係合部７の壁部７Ｂに前記被係止部８に係止する係止片９を設けるか、若しくは、前記係合部７の壁部７Ｂに前記被係止部８を設けるとともに、前記支柱端部６の壁部６Ｃに前記被係止部８に係止する係止片９を設け、前記係止片９は、前記支柱端部６と前記係合部７とを差し込み係合することに伴って倒れ動した後に弾性変形により復帰動して前記被係止部８に抜け止め係止する構成であり、前記係止片９の先端部９ａに指を掛けて引き操作若しくは押し操作してこの係止片９を倒れ動することで、前記被係止部８に対する抜け止め係止状態を解除し得るように構成し、前記係止片９の先端部９ａを引き操作若しくは押し操作する指の指入れを許容する指入れ部10を前記支柱３に設け、前記支柱３は、この支柱３の差し込み方向先端部としての前記支柱端部６よりも基端側位置に断面視コ字状部若しくは筒状部から成る中空部11を有し、前記平断面視コ字状部の一方向に開口する開口部12若しくは前記筒状部に設けた開口部により前記中空部11を開口状態に設けて前記指入れ部10を構成したことを特徴とする家具に係るものである。
【発明の効果】
【００１６】
本発明は上述のように構成したから、差し込み係合した支柱と板体との分解、若しくは、差し込み係合した下方の支柱と上方の支柱との分解を確実に行うことができ、しかも、この分解が極めて簡単な操作で行えることになるなど、極めて商品価値の高い画期的な家具となる。
【００１７】
また、請求項２記載の発明においては、係止片の先端部に指を掛けて引き操作若しくは押し操作した際に、この指を掛けるに障害となる物がない構造が確実に得られ、差し込み係合した支柱と板体との分解、若しくは、差し込み係合した下方の支柱と上方の支柱との分解が極めて簡単な操作で行えることになるなど、極めて商品価値の高い画期的な家具となる。
【００１８】
また、請求項３記載の発明においては、差し込み係合する支柱端部と係合部の各部位を利用して被係止部と係止片とを具備する構造であるから、前述した作用効果を発揮する構造が効率良く得られることになるなど、極めて商品価値の高い画期的な家具となる。
【００１９】
また、請求項４記載の発明においては、支柱は軽量でコスト安な構造であり、この支柱の支柱端部を利用して被係止部を具備する構造であるから、前述した作用効果を発揮する構造が効率良く得られることになるなど、極めて商品価値の高い画期的な家具となる。
【００２０】
また、請求項５記載の発明においては、板体若しくは支柱の一端部に設ける筒状部から成る係合部を利用して係止片を具備する構造であるから、前述した作用効果を発揮する構造が効率良く得られることになるなど、極めて商品価値の高い画期的な家具となる。
【００２１】
また、請求項６記載の発明においては、係止片が極めて簡易な構造で得られ、しかも、この係止片を倒れ動させる操作が極めて良好に行えることになるなど、極めて商品価値の高い画期的な家具となる。
【図面の簡単な説明】
【００２２】
【図１】実施例１を示す斜視図である。
【図２】実施例１の要部を示す分解斜視図である。
【図３】実施例１の要部を示す部分断面図である。
【図４】実施例１の要部を示す平断面図である。
【図５】実施例１の要部の説明断面図である。
【図６】実施例１の要部の動作説明図である。
【図７】実施例１の要部の説明断面図である。
【図８】実施例１の要部を示す分解斜視図である。
【図９】実施例１の要部を示す平面図である。
【図１０】実施例１の要部の説明断面図である。
【図１１】実施例１の要部の動作説明図である。
【図１２】実施例２を示す斜視図である。
【図１３】実施例２の要部を示す斜視図である。
【図１４】実施例２の要部を示す分解斜視図である。
【図１５】実施例２の要部を示す分解斜視図である。
【図１６】実施例２の要部の説明図である。
【図１７】実施例２の要部の説明図である。
【図１８】実施例２の要部の説明図である。
【図１９】実施例２の要部を示す斜視図である。
【図２０】実施例２の要部を示す斜視図である。
【図２１】実施例２の要部の説明断面図である。
【図２２】実施例２の要部の説明断面図である。
【図２３】実施例２の要部を示す斜視図である。
【図２４】実施例２の要部を示す斜視図である。
【図２５】実施例２の要部を示す斜視図である。
【発明を実施するための形態】
【００２３】
好適と考える本発明の実施形態（発明をどのように実施するか）を、図面に基づいて本発明の作用を示して簡単に説明する。
【００２４】
組み立て本体部５の組み立てに際して、支柱３の支柱端部６とこの支柱端部６と差し込み係合する板体２に設けた係合部７とを差し込み係合、若しくは、下方の支柱３の支柱端部６とこの支柱端部６と差し込み係合する上方の支柱３に設けた係合部７とを差し込み係合する。
【００２５】
具体的には、支柱端部６と係合部７とを差し込み係合した際、板体２に設けた係止片９は、支柱端部６と係合部７とを差し込み係合することに伴って倒れ動した後に弾性変形により復帰動して、支柱３に設けた被係止部８に抜け止め係止するか、若しくは、支柱３に設けた係止片９は、支柱端部６と係合部７とを差し込み係合することに伴って倒れ動した後に弾性変形により復帰動して、板体２に設けた被係止部８に抜け止め係止するか、若しくは、上方の支柱３に設けた係止片９は、支柱端部６と係合部７とを差し込み係合することに伴って倒れ動した後に弾性変形により復帰動して、下方の支柱３に設けた被係止部８に抜け止め係止するか、若しくは、下方の支柱３に設けた係止片９は、支柱端部６と係合部７とを差し込み係合することに伴って倒れ動した後に弾性変形により復帰動して、上方の支柱３に設けた被係止部８に抜け止め係止する。
【００２６】
つまり、支柱端部６と係合部７とを差し込み係合する差し込み操作に伴って、支柱３と板体２との抜け止め状態の差し込み連結、若しくは、下方の支柱３と上方の支柱３との抜け止め状態の差し込み連結が完了する。
【００２７】
また、例えば、組み立て本体部５の組み立て時に支柱３を板体２に対して前後左右の位置を誤って連結した場合や、組み立て状態の組み立て本体部５を一時的に仕舞いたい場合など、差し込み係合した支柱３と板体２とを分解、若しくは、差し込み係合した下方の支柱３と上方の支柱３とを分解する必要が生じた場合、係止片９の先端部９ａに指を掛けて引き操作若しくは押し操作してこの係止片９を倒れ動することで、被係止部８に対する抜け止め係止状態は解除し、この状態で支柱端部６と係合部７とを引き離すことで、差し込み係合した支柱３と板体２との分解、若しくは、下方の支柱３と上方の支柱３との分解が完了する。
【００２８】
この際、この係止片９の先端部９ａに指を掛けて引き操作若しくは押し操作する際、この係止片９の先端部９ａを操作する指の指入れを許容する指入れ部10が支柱３に設けられており、よって、係止片９の先端部９ａへ指を掛ける際、及び、係止片９の先端部９ａに指を掛けて行う引き操作若しくは押し操作の際に、指掛け操作の妨げ（障害）となるものがなく、極めて抜け止め状態の解除操作が簡易に行えることになる。
【００２９】
従って、差し込み係合した支柱３と板体２との分解、若しくは、差し込み係合した下方の支柱３と上方の支柱３との分解を簡易に且つ確実に行うことができる。
【実施例１】
【００３０】
本発明の具体的な実施例１について図面に基づいて説明する。
【００３１】
本実施例は、支柱３と、この支柱３を介して上下位置に水平状態に設ける複数の板体２とを組み立てた構成の組み立て本体部５を備えた家具において、組み立て本体部５の組み立てに際して、支柱３の支柱端部６とこの支柱端部６と差し込み係合する板体２に設けた係合部７とを差し込み係合する構成とし、支柱端部６と係合部７とを差し込み係合した際、板体２に設けた係止片９が抜け止め係止する被係止部８を支柱３に設けるか、若しくは、支柱３に設けた係止片９が抜け止め係止する被係止部８を板体２に設け、係止片９は、支柱端部６と係合部７とを差し込み係合することに伴って倒れ動した後に弾性変形により復帰動して被係止部８に抜け止め係止する構成であり、係止片９の先端部９ａに指を掛けて引き操作若しくは押し操作してこの係止片９を倒れ動することで、被係止部８に対する抜け止め係止状態を解除し得るように構成し、係止片９の先端部９ａを引き操作若しくは押し操作する指の指入れを許容する指入れ部10を支柱３に設けたものである。
【００３２】
本実施例では、家具として、図１に図示したように支柱３を介して板体２（受板２）の上部に板体２（天板２）を夫々水平状態に設けた構成の組み立て本体部５と、この組み立て本体部５の受板２と天板２との間に引き出し自在に設けた引き出しケース１とから成る引き出し式収納ケースを採用しており、支柱３の支柱端部６と、この支柱端部６と差し込み係合する受板２，天板２の少なくとも一方に設けた係合部７とを差し込み係合して本体部５を組み立てる構成とし、支柱端部６と係合部７とを差し込み係合した際、受板２，天板２の少なくとも一方若しくは支柱３に設けた係止片９が抜け止め係止する被係止部８を支柱３若しくは受板２，天板２の少なくとも一方に設けている。尚、家具としては後述する実施例２の棚や、テーブルや椅子でも良いなど、本実施例の特性を発揮する構成であれば適宜採用し得るものである。
【００３３】
以下、本実施例に係る構成各部について詳細な説明をする。
【００３４】
引き出しケース１は、図１に図示したように適宜な合成樹脂製の部材で一体成形したものであり、夫々方形板状の正面部，底面部，左側面部，右側面部及び背面部とから成り、方形状の上方開口部を有する箱状体である。
【００３５】
また、引き出しケース１は、組み立て本体部５の正面開口部から引き出し自在に収納し得るように構成されている。
【００３６】
組み立て本体部５は、図１に図示したように適宜な合成樹脂製の部材で成形したものであり、前後左右のコーナー部に配される４本の支柱３を介して受板２（板体）の上部に天板２（板体）を夫々水平状態に設けた構成であり、この組み立て本体部５の受板２と天板２との間に引き出しケース１を引き出し自在に設けた構成である。尚、組み立て本体部５は金属製や木製でも良く、また、本実施例では一段構成の組み立て本体部５に一つの引き出しケース１を収納する構造としたが、支柱３を介して受板２を上下複数段設け且つ支柱３を介して最上段の受板２の上部に天板２を設けた複数段構成の組み立て本体部に複数の引き出しケース１を収納する構造としても良く、また、この組み立て本体部５を構成する受板２（板体）は、本実施例では中央をくり貫いた枠状としているが、この構成でなくても良く、その他、例えば格子状や桟状や網状でも良い。
【００３７】
本実施例では、支柱３の支柱端部６と、この支柱端部６と差し込み係合する受板２に設けた係合部７とを差し込み係合して組み立て本体部５を組み立てる構成とし、支柱端部６と係合部７とを差し込み係合した際、受板２に設けた係止片９が抜け止め係止する被係止部８を支柱３に設けている。
【００３８】
尚、本実施例で説明する支柱３と受板２との連結構造Ａを、支柱３と天板２との連結構造にも採用しても良く、或いは、支柱３と天板２との連結構造のみに当該連結構造Ａを採用しても良い。
【００３９】
また、本実施例は、支柱端部６，係合部７のいずれか一方を凸状部とし、他方をこの凸状部と差し込み係合する凹状部とし、支柱端部６と係合部７とを差し込み係合した際、互いに重合する壁部６Ｃ，７Ｂ夫々のうちの一方に係止片９を設け、他方に被係止部８を設けている。
【００４０】
具体的には、図２に図示したように支柱３を、内方に開口する平断面視コ字状（平断面視Ｃ字状と平断面視Ｕ字状を含む）にして中空の支柱本体３Ａの上下先端部のうちの少なくとも一方の先端部（下先端部）に外方に開口する平断面視逆コ字状（平断面視逆Ｃ字状と平断面視逆Ｕ字状を含む）の支柱端部６を設けた構成としている。
【００４１】
この支柱端部６は、凸状部として後述する凹状部としての係合部７に差し込み係合するように構成されており、この支柱端部６における差し込み方向の先端縁部６ａよりも基端側に位置する基端側縁部６ｂを被係止部８としている。尚、本書面で言うコ字状とは、前述したようにＣ字状やＵ字状も含む広義の意味であり、中空構造となる凹形状のものであれば良い。
【００４２】
支柱３について更に説明すると、支柱本体３Ａは、組み立て本体部５を組み立てた際に該組み立て本体部５の側面部を成す外方壁部３ａと、この外方壁部３ａの左右両端部と直交状態に連設して該外方壁部３ａの内方に突出する左右の側方壁部３ｂ，３ｃとを有する内方に開口する平断面視コ字状体である。尚、支柱本体３Ａ及び支柱端部６は筒状体（平断面視方形状の筒状体）でも良い。
【００４３】
また、支柱本体３Ａの下先端部としての支柱端部６は、前述したように外方に開口する平面視逆コ字状であり、即ち、左右の側方壁部３ｂ，３ｃ夫々の下端に延設した延設側方壁部６Ａ，６Ｂの内方縁部間に内方壁部６Ｃを架設状態に設けた構成であり、この内方壁部６Ｃの下端は差し込み方向先端縁部としての先端縁部６ａに設定され、この先端縁部６ａよりも基端側に位置する基端側縁部６ｂは後述する係止片９が係止する被係止部８に設定されている。
【００４４】
尚、支柱本体３が筒状体の場合には、壁部に貫通孔から成る開口部を設けてこの開口縁を被係止部８として構成し、また、この被係止部８を後述する受板２，天板２の少なくとも一方に設けた場合には、この支柱３（支柱端部６）に係止片９を設けた構造とする。
【００４５】
また、支柱３は、前述したように支柱本体３Ａが平断面視コ字状体であることから、この支柱３の差し込み方向先端部としての支柱端部６よりも基端側位置に中空部11を有し、この中空部11は、平断面視コ字状部の一方向（内方向）に開口する開口部12により開口しており、係止片９の先端部９ａを引き操作する指の指入れを許容する指入れ部10として構成されている。尚、前述したように支柱本体３が筒状体の場合には、壁部に設けた開口部により中空部11は開口し、係止片９の先端部９ａを引き操作する指の指入れを許容する指入れ部10として構成する。
【００４６】
この指入れ部10を具備することで、係止片９の先端部９ａへの指を掛けること、及び、係止片９の先端部９ａへ掛けた指を引き操作することは何ら支障なく極めて良好に行えることになる。
【００４７】
また、本実施例は、差し込み係合した支柱３と受板２，天板２の少なくとも一方との抜け止め係止構造（被係止部８及び後述する係止片９）を、組み立て本体部５の内側部（支柱端部６及び係合部７夫々の内側部）に設けた構造であり、即ち、組み立て本体部５に引き出しケース１を収納した際には隠れる構造であるから極めて体裁が良いことになる。
【００４８】
尚、支柱３（支柱本体３Ａ）は中空でない無垢の構造でも良く、この場合、支柱端部６とこの支柱端部６よりも基端側位置に設ける指入れ部10を設ける部位のみを中空とする。
【００４９】
受板２（板体２）は、図１に図示したように適宜な合成樹脂製の部材で成形した方形板状体であり、この受板２の中央部位はくり貫かれて開口し、更に、この受板２の前後左右の各コーナー部夫々には支柱３の支柱端部６を差し込み係合する凹状部としての係合部７が設けられている。
【００５０】
具体的には、この係合部７は、受板２のコーナー部の上面部に平面視方形状の筒状部を突設して構成されており、組み立て本体部５を組み立てた際に該組み立て本体部５の側面部側に位置する外方壁部７Ａと、この外方壁部７Ａの内方に対向する内方壁部７Ｂとを有しており、更に、この外方壁部７Ａ及び内方壁部７Ｂの左右端部間に前方壁部７Ｃ及び後方壁部７Ｄを有するものである。尚、係合部７は、受板２のコーナー部の上面部から没入した構造でも良い。
【００５１】
また、本実施例では、この係合部７の壁部に係止片９を設けるとともに、この係止片９の先端部９ａを係合部７の開口縁部７ａから突出状態に設けて、この係止片９の先端部９ａ（縁部）に指を掛けて押引操作してこの係止片９を内外方向に倒れ動するように構成している。
【００５２】
具体的には、支柱端部６を係合部７に差し込み係合した際、係合部７の内方壁部７Ｂには支柱端部６の内方壁部６Ｃが重合状態となる構成であり、この係合部７の内方壁部７Ｂに支柱端部６の内方壁部６Ｃに設けた被係止部８に係止する係止片９を設けている。
【００５３】
この係止片９は、内方壁部７Ｂの上端部中央位置に該内方壁部７Ｂの開口縁部７ａに開口する一対のスリット13を所定間隔を介して設けて、このスリット13間の部位を合成樹脂製故の弾性変形により内外方向に倒れ動自在に設けたものであり、この係止片９の先端内面部には被係止部８に係止する係止突部９ｂが設けられている。
【００５４】
また、この係止片９は、支柱端部６と係合部７とを差し込み係合した際、支柱端部６の内方壁部６Ｃを乗り上がることに伴って倒れ動した後に弾性変形により復帰動して内方壁部６Ｃの基端側縁部６ｂ（被係止部８）に係止突部９ｂが抜け止め係止する構成である。
【００５５】
また、係止片９の先端部９ａは、係合部７の開口縁部７ａから上方に突出するように設けられ、この先端部９ａに指を掛けて引き操作することで倒れ動するように構成し、この先端部９ａを操作して係止片９を倒れ動することで、被係止部８に対する抜け止め係止状態を解除し得るように構成されている。
【００５６】
また、係止突部９ｂが設けられる係止片９の先端部９ａの内面は、テーパー面９ａ’に設定されており、このテーパー面９ａ’は、支柱端部６と係合部７とを差し込み係合する際、支柱端部６の先端部６ａが摺動する面であり、係止片９が支柱端部６の内方壁部６Ｃを良好に乗り上がるように構成されている。
【００５７】
尚、本実施例では、支柱端部６を係合部７に差し込むことで差し込み係合する構造としたが、係合部７を支柱端部６に差し込むことで差し込み係合する構造でも良く、また、係合部７に被係止部８を設けるとともに、支柱端部６に被係止部８に係止する係止片９を設けても良く、また、係止片９における被係止部８に対する抜け止め係止状態の解除は、係止片９の先端部９ａの引き操作により行われる構成としたが、後述する実施例２のように係止片９の先端部９ａの押し操作により行われる構成としても良い。
【００５８】
また、本実施例は、図８〜11に図示したように支柱３と天板２との連結構造は、支柱３と受板２との連結構造と別構造としており、即ち、天板２の下面部の４つのコーナー部に設けた係合部17に被係止部18を設け、この被係止部18に係止する係止片19を支柱本体３Ａの上方先端部としての支柱端部16に設けている。
【００５９】
具体的には、被係止部18は、凹状の係合部17の内壁面に突出する突状部を設けて構成されており、一方、係止片19は、支柱端部16を構成する外方壁部16Ｃの上端部中央位置に一対のスリット20を設けて外内方向に倒れ動自在に設けて構成されている。
【００６０】
従って、支柱端部16を係合部17に差し込み係合した際、この支柱端部16を係合部17に差し込み係合することに伴って倒れ動した後に弾性変形により復帰動して被係止部18に抜け止め係止することになり、また、係止片19の根元部分を指で押し操作して倒れ動することで、被係止部18に対する抜け止め係止状態を解除し得るように構成されている。
【００６１】
また、係止片19の外表面は鉛直面でなく外方に傾斜して外方壁部16Ｃ外表面よりも外側に突出しており、この構成から、支柱端部16を係合部17に差し込み係合することに伴って倒れ動した後に復帰動する際、強い弾性変形を生じて被係止部18に対する係止片19の係止がより強固に行われることになる。
【００６２】
本実施例は上述のように構成したから、支柱３の支柱端部６を受板２の係合部７に差し込み係合した際、受板２に設けた係止片９が、この支柱端部６を係合部７に差し込み係合することに伴って内方に倒れ動した後に弾性変形により外方へ復帰動して、支柱３に設けた被係止部８に抜け止め係止する。つまり、支柱端部６を係合部７に差し込み係合する差し込み操作に伴って、支柱３と受板２との抜け止め状態の差し込み連結が完了する（図５，６，７参照）。
【００６３】
この差し込み係合した支柱３と受板２とを分解する必要が生じた場合、係止片９の先端部９ａに指を掛けて引き操作してこの係止片９を内方へ倒れ動することで、被係止部８に対する抜け止め係止状態は解除し、この状態で支柱端部６と係合部７とを引き離すことで、差し込み係合した支柱３と受板２との分解が完了する。
【００６４】
この際、この係止片９の先端部９ａに指を掛けて引き操作若しくは押し操作する際、この係止片９の先端部９ａを操作する指の指入れを許容する指入れ部10が支柱３に設けられており、よって、係止片９の先端部９ａへ指を掛ける際、及び、係止片９の先端部９ａに指を掛けて行う引き操作の際に、指が当たってその操作の妨げ（障害）となるものがなく、極めて抜け止め状態の解除操作が簡易に行えることになる。
【００６５】
また、支柱３の支柱端部16を天板２の係合部17に差し込み係合した際、支柱端部16に設けた係止片19が、この支柱端部16を係合部17に差し込み係合することに伴って内方に倒れ動した後に弾性変形により外方に復帰動して、天板２（係合部17）に設けた被係止部18に抜け止め係止する。つまり、支柱端部16を係合部17に差し込み係合する差し込み操作に伴って、支柱３と天板２との抜け止め状態の差し込み連結が完了し（図10参照）、支柱３と天板２との抜け止め状態を解除する際には係止片19の外面を押圧して被係止部18に対する係止状態を解除し、この状態で支柱端部16と係合部17とを引き離すことで、差し込み係合した支柱３と天板２との分解が完了する。
【００６６】
よって、本実施例によれば、本体部５を容易に組み立てることができ、しかも、差し込み係合した支柱３と受板２及び天板２とを簡易に且つ確実に分解することができる。
【実施例２】
【００６７】
本発明の具体的な実施例２について図面に基づいて説明する。
【００６８】
本実施例は、複数の支柱３を上下に連結して成る連結支柱３’と、この連結支柱３’を介して水平状態に設ける板体２とを組み立てた構成の組み立て本体部５を備えた家具において、組み立て本体部５の組み立てに際して、支柱３の支柱端部６とこの支柱端部６と差し込み係合する板体２に設けた係合部７とを差し込み係合、若しくは、下方の支柱３の支柱端部６とこの支柱端部６と差し込み係合する上方の支柱３に設けた係合部７とを差し込み係合する構成とし、支柱端部６と係合部７とを差し込み係合した際、板体２に設けた係止片９が抜け止め係止する被係止部８を支柱３に設けるか、若しくは、支柱３に設けた係止片９が抜け止め係止する被係止部８を板体２に設けるか、若しくは、上方の支柱３に設けた係止片９が抜け止め係止する被係止部８を下方の支柱３に設けるか、若しくは、下方の支柱３に設けた係止片９が抜け止め係止する被係止部８を上方の支柱３に設け、係止片９は、支柱端部６と係合部７とを差し込み係合することに伴って倒れ動した後に弾性変形により復帰動して被係止部８に抜け止め係止する構成であり、係止片９の先端部９ａに指を掛けて引き操作若しくは押し操作してこの係止片９を倒れ動することで、被係止部８に対する抜け止め係止状態を解除し得るように構成し、係止片９の先端部９ａを引き操作若しくは押し操作する指の指入れを許容する指入れ部10を支柱３に設けたものである。
【００６９】
本実施例では、家具として、図12に図示したように複数の支柱３を上下に連結して成る連結支柱３’と、この連結支柱３’を介して上下位置に水平状態に設ける複数の板体２とを組み立てた構成の組み立て本体部５を備えた物品載置用の棚を採用している。
【００７０】
以下、本実施例に係る構成各部について詳細な説明をする。
【００７１】
組み立て本体部５は、図12に図示したように適宜な合成樹脂製の部材で成形したものであり、前後左右のコーナー部に配される４本の連結支柱３’を介して３枚の板体２を夫々水平状態に設けた構成である。尚、組み立て本体部５は金属製や木製でも良く、また、この組み立て本体部５を構成する連結支柱３’及び板体２の数は適宜変更し得るものであり、また、板体２は、例えば枠状や格子状や桟状や網状でも良い。
【００７２】
本実施例では、組み立て本体部５の組み立てに際して、最上段の支柱３の支柱端部６とこの支柱端部６と差し込み係合する最上段の板体２に設けた係合部７とを差し込み係合、及び、下方の支柱３の支柱端部６とこの支柱端部６と差し込み係合する上方の支柱３の下先端部に設けた係合部７とを差し込み係合、及び、最下段の支柱３の下先端部に設けた係合部７とこの係合部７と差し込み係合する最下段の板体２に設けた被係合部７’とを差し込み係合する構成とし、支柱端部６と係合部７及び係合部７と被係合部７’とを差し込み係合した際、最上段の板体２に設けた係止片９が抜け止め係止する被係止部８を支柱３の上先端部に設け、更に、上方の支柱３の下先端部に設けた係止片９が抜け止め係止する被係止部８を下方の支柱３の上先端部に設け、更に、支柱３の下先端部に設けた係止片９が抜け止め係止する被係止部８を最下段の板体２に設けている。
【００７３】
また、本実施例は、支柱端部６，係合部７のいずれか一方（係合部７，被係合部７’のいずれか一方）を凸状部とし、他方をこの凸状部と差し込み係合する凹状部とし、支柱端部６と係合部７（係合部７と被係合部７’）とを差し込み係合した際、互いに重合する壁部６Ｃ，７Ｂ夫々のうちの一方に係止片９を設け、他方に被係止部８を設けている。
【００７４】
具体的には、図13〜15に図示したように支柱３を、内方に開口する平断面視コ字状（平断面視Ｃ字状と平断面視Ｕ字状を含む）にして中空の支柱本体３Ａの上下先端部のうちの上先端部に片状の支柱端部６を設けた構成としている。
【００７５】
この支柱端部６は、凸状部として後述する凹状部としての係合部７に差し込み係合するように構成されており、この支柱端部６における差し込み方向の先端縁部６ａよりも基端側位置の内面には内方（水平方向）へ向けてリブ21が突設され、このリブ21に貫通孔21ａを形成してこの孔縁部６ｂを被係止部８としている。
【００７６】
支柱３について更に説明すると、支柱本体３Ａは、図15に図示したように組み立て本体部５を組み立てた際に該組み立て本体部５の側面部を成す外方壁部３ａと、この外方壁部３ａの左右両端部と連設して該外方壁部３ａの内方に突出する左右の側方壁部３ｂ，３ｃとを有する内方に開口する平断面視コ字状体である。尚、支柱本体３Ａ及び支柱端部６は筒状体（平断面視方形状の筒状体）でも良い。
【００７７】
また、支柱本体３Ａの上先端部としての支柱端部６は、支柱本体３Ａの上先端縁に平断面視が円弧形状となる片状の壁部６Ｃを突出状態に設けた構成であり、この壁部６Ｃの上端は差し込み方向先端縁部としての先端縁部６ａに設定され、この先端縁部６ａよりも基端側位置の内面にはリブ21が突設され、このリブ21に貫通孔21ａを形成してこの孔縁部６ｂを被係止部８としている（図23参照）。
【００７８】
尚、支柱本体３が壁部を有する筒状体の場合には、この壁部に貫通して内方に開口する開口部を設けてこの開口縁を被係止部８として構成する。
【００７９】
また、支柱３は、支柱本体３Ａの上下先端部のうちの下先端部に他の支柱３に設けた支柱端部６及び後述する板体２の差し込み連結部２Ａと差し込み係合する凹状部としての係合部７が設けられている。
【００８０】
この係合部７は、支柱本体３Ａの下先端部に平面視Ｌ字形状の筒状部を突設して構成されており、組み立て本体部５を組み立てた際に該組み立て本体部５の側面部側に位置する外方壁部７Ａと、この外方壁部７Ａの内方に対向する内方壁部７Ｂとを有しており、更に、この外方壁部７Ａ及び内方壁部７Ｂの左右端部間に側壁部７Ｃ及び側壁部７Ｄを有するものである。
【００８１】
また、係合部７は板体２のコーナー部と合致した形状に形成されている。
【００８２】
また、本実施例では、この係合部７の壁部に係止片９を設けるとともに、この係止片９の先端部９ａを係合部７の開口縁部７ａから突出状態に設けて、この係止片９の先端部９ａに指を掛けて押引操作してこの係止片９を内外方向に倒れ動するように構成している。
【００８３】
具体的には、支柱端部６を係合部７に差し込み係合した際、係合部７の内方壁部７Ｂには支柱端部６の壁部６Ｃが重合状態となる構成であり、この係合部７の内方壁部７Ｂに支柱端部６の壁部６Ｃに設けた被係止部８に係止する係止片９を設けている。
【００８４】
この係止片９は、内方壁部７Ｂの上端部中央位置に該内方壁部７Ｂの開口縁部７ａに開口する一対のスリット13を所定間隔を介して設けて、このスリット13間の部位を合成樹脂製故の弾性変形により内外方向に倒れ動自在に設けたものであり、この係止片９の先端内面部には被係止部８に係止する係止突部９ｂが設けられている。
【００８５】
また、この係止片９は、支柱端部６と係合部７とを差し込み係合した際、支柱端部６のリブ21を乗り上がることに伴って倒れ動した後に弾性変形により復帰動して当該リブ21の貫通孔21ａの孔縁（被係止部８）に係止突部９ｂが抜け止め係止する構成である。
【００８６】
また、係止片９の先端部９ａは、係合部７の開口縁部７ａから下方に突出するように設けられ、この先端部９ａに指を掛けて押し操作することで倒れ動するように構成し、この先端部９ａを操作して係止片９を倒れ動することで、被係止部８に対する抜け止め係止状態を解除し得るように構成されている。
【００８７】
また、係止突部９ｂが設けられる係止片９の先端部９ａの内面は、テーパー面９ａ’に設定されており、このテーパー面９ａ’は、支柱端部６と係合部７とを差し込み係合する際、リブ21の貫通孔21ａの孔縁が摺動する面であり、係止片９が支柱端部６のリブ21を良好に乗り上がるように構成されている。
【００８８】
従って、複数の支柱３を上下に配し、この上下に連結する支柱３のうち、下方の支柱３の上先端部に設けた支柱端部６を上方の支柱３の下先端部に設けた係合部７に差し込み係合して連結支柱３’を構成とすることができる。
【００８９】
尚、本実施例では、支柱端部６を係合部７に差し込むことで差し込み係合する構造としたが、係合部７を支柱端部６に差し込むことで差し込み係合する構造でも良く、また、係合部７に被係止部８を設けるとともに、支柱端部６に被係止部８に係止する係止片９を設けても良く、また、係止片９における被係止部８に対する抜け止め係止状態の解除は、係止片９の先端部９ａの押し操作により行われる構成としたが、前述した実施例１のように係止片９の先端部９ａの引き操作により行われる構成としても良い。
【００９０】
また、支柱３は、前述したように支柱本体３Ａが平面視コ字状体であることから、この支柱３の差し込み方向先端部としての支柱端部６よりも基端側位置に中空部11を有し、この中空部11は、平断面視コ字状部の一方向（内方向）に開口する開口部12により開口しており、係止片９の先端部９ａを押し操作する指の指入れを許容する指入れ部10として構成されている。尚、前述したように支柱本体３が筒状体の場合には、この筒状体の壁部に設けた開口部により中空部11は開口し、係止片９の先端部９ａを押し操作する指の指入れを許容する指入れ部10として構成する。
【００９１】
この指入れ部10を具備することで、係止片９の先端部９ａへの指を掛けること、及び、係止片９の先端部９ａへ掛けた指を押し操作することは何ら支障なく極めて良好に行えることになる。
【００９２】
尚、支柱３（支柱本体３Ａ）は中空でない無垢の構造でも良く、この場合、支柱端部６とこの支柱端部６よりも基端側位置に設ける指入れ部10を設ける部位のみを中空とする。
【００９３】
また、支柱３の係合部７には、後述する板体２に設ける被スライド係合部22に対してスライド係合するスライド係合部23が設けられている。
【００９４】
このスライド係合部23は、係合部７の左右位置にアリ溝形状の凹条部23ａを設け、この左右の凹条部23ａ間にして係合部７の内面中央位置に左右一対の凸条部23ｂを設けて構成されており、板体２の被スライド係合部22に対して上方からスライド係合するように構成されている。
【００９５】
また、前述したように複数の支柱３同士を上下に連結して成る連結支柱３’には、複数の板体２が上下位置に所定間隔を介して多段状態に連結される。
【００９６】
即ち、最上段に配される板体２は連結支柱３’に係る最上段の支柱３の上先端部と連結され、中段に配される板体２は連結支柱３’に係る上下に連結する支柱３同士の連結部と連結され、最下段に配される板体２は連結支柱３’に係る最下段の支柱３の下先端部と連結される。尚、中段に配される板体２は一段でも複数段でも良い。
【００９７】
具体的には、最上段に配される板体２と、連結支柱３’に係る最上段の支柱３の上先端部との連結は、板体２に設けられる後述する第一連結部材24と支柱３の支柱端部６とを差し込み係合して連結する。
【００９８】
つまり、第一連結部材24と支柱３とにより板体２を挟持状態で支持連結するように構成されている。
【００９９】
中段に配される板体２と、連結支柱３’に係る上下に連結する支柱３同士の連結部との連結は、板体２に設けられる被スライド係合部22と上方の支柱３の係合部７に設けたスライド係合部23とをスライド係合するとともに、この上方の支柱３の係合部７と下方の支柱３の支柱端部６とを差し込み係合することで連結する。
【０１００】
つまり、上下の支柱３により板体２を挟持状態で支持連結するように構成されている。
【０１０１】
最下段に配される板体２と、連結支柱３’に係る最下段の支柱３の下先端部との連結は、板体２に設けられる後述する第二連結部材25と支柱３の係合部７とを差し込み係合して連結する。
【０１０２】
つまり、第二連結部材25と支柱３とにより板体２を挟持状態で支持連結するように構成されている。
【０１０３】
第一連結部材24は、図12，24に図示したように適宜な合成樹脂製の部材で形成したものであり、板体２の被スライド係合部22にスライド係合するスライド係合部23（凹条部23ａ及び凸条部23ｂ）を有し、更に、前述した支柱３の下先端部に設けた係合部７と同構造の係合部７が設けられている。
【０１０４】
従って、第一連結部材24を最上段の板体２のコーナー部にスライド係合し、この状態で第一連結部材24の係合部に支柱３の支柱端部６と差し込み係合することで、係止片９と被係止部８との係止が行われ、最上段の板体２と支柱３との連結が完了する。
【０１０５】
第二連結部材25は、図12，25に図示したように適宜な合成樹脂製の部材で形成したものであり、下部に接地部25ａを有する基体の上面に前述した支柱３の下先端部に設けた係合部７と差し込み係合する前述した支柱端部６と同構造の被係合部７’（片状体25ｂ）が設けられ、この被係合部７’（片状体25ｂ）には被係止部８が設けられている。
【０１０６】
従って、支柱３の係合部７を最下段の板体２のコーナー部にスライド係合し、この状態で支柱３の係合部７と第二連結部材25の被係合部７’（片状体25ｂ）とを差し込み係合することで、係止片９と被係止部８との係止が行われ、最下段の板体２と支柱３との連結が完了する。
【０１０７】
また、第二連結部材25にはキャスター26が着脱自在に装着し得る装着部25ｃが設けられている。
【０１０８】
板体２は、図12，14に図示したように適宜な合成樹脂製の部材で成形した方形板状体であり、この板体２の前後左右の各コーナー部夫々には被スライド係合部22が設けられている。
【０１０９】
この被スライド係合部22は、図14，17に図示したように板体２のコーナー周面部に設けた平面視Ｌ字状の凹所２ａ内に設けられており、この凹所２ａの左右位置に設けられ前述したスライド係合部23の凹条部23ａにスライド係合する凸条部22ａと、この凸条部22ａ間の中央位置に設けられ前述したスライド係合部23の凸条部23ｂにスライド係合する左右一対のＶ溝状の凹条部22ｂとで構成されている。
【０１１０】
また、この被スライド係合部22には、前述した支柱３の係合部７に設けたスライド係合部23がスライド係合し、更に、上側連結部材24に設けられるスライド係合部23がスライド係合する。
【０１１１】
また、板体２は、被スライド係合部22に支柱３の係止部７及び上側連結部材24のスライド係合部23をスライド係合した際、板体２の外周面と、支柱３の係止部７及び上側連結部材24夫々の外周面とが面一状態となるように構成されている。
【０１１２】
尚、本実施例では板体２を全て同構造（汎用品）とするために第一連結部材24及び第二連結部材25を設ける構成としたが、最上段に配される板体２のコーナー部に係止部７を一体成形し、最下段に配される板体２のコーナー部に片状体25ｂを一体成形しても良い。
【０１１３】
その余は実施例１と同様である。
【０１１４】
尚、本発明は、実施例１，２に限られるものではなく、各構成要件の具体的構成は適宜設計し得るものである。
【符号の説明】
【０１１５】
２  板体
３  支柱
３’  連結支柱
３Ａ  支柱本体
５  組み立て本体部
６  支柱端部
６ａ  差し込み方向先端縁部
６ｂ  基端側縁部
６Ｃ  壁部
７  係合部
７ａ  開口縁部
７Ｂ  壁部
８  被係止部
９  係止片
９ａ  先端部
10  指入れ部
11  中空部
12  開口部
13  スリット
【図１】
2014166248.tif 000003
【図２】
2014166248.tif 000004
【図３】
2014166248.tif 000005
【図４】
2014166248.tif 000006
【図５】
2014166248.tif 000007
【図６】
2014166248.tif 000008
【図７】
2014166248.tif 000009
【図８】
2014166248.tif 000010
【図９】
2014166248.tif 000011
【図１０】
2014166248.tif 000012
【図１１】
2014166248.tif 000013
【図１２】
2014166248.tif 000014
【図１３】
2014166248.tif 000015
【図１４】
2014166248.tif 000016
【図１５】
2014166248.tif 000017
【図１６】
2014166248.tif 000018
【図１７】
2014166248.tif 000019
【図１８】
2014166248.tif 000020
【図１９】
2014166248.tif 000021
【図２０】
2014166248.tif 000022
【図２１】
2014166248.tif 000023
【図２２】
2014166248.tif 000024
【図２３】
2014166248.tif 000025
【図２４】
2014166248.tif 000026
【図２５】
2014166248.tif 000027